(57)【要約】      （修正有）【課題】従来の飲料水供給装置は一個体の装置として製作して家庭内外部に設置する。【解決手段】所定の水道管３が家族構成人員が飲用する総水量を充満した個所で切断して、これを敷設する任意の設置場所に合致するようにして、これをＳ字状にしてＵ字状にエルボを介して平面状にして設けた飲料水供給装置として形成して予め用意した任意の場所の土中の水道本管２に直管のエルボ又はL字状のエルボを介して継着してなる飲料水供給装置を提供して、大災害時に飲料水を供給できるようにした。【選択図】図１
2012012110.tif 000002
【特許請求の範囲】
【請求項１】
公設の水道本管２より、継着した取水道管３に所定の水道管５が、大災害の予知のある地域の全家庭の各構成人員及飲料日数を加算した総水量を流入して充満の状態で切断して、予め選定した敷地内の地下部に上記の水道管３をＬ字状のエルボ４及びＵ字状のエルボ６を介してＳ字状に折曲してＵ字状のエルボ６を介して該水道管３の横パイプを間隔を詰めて横方向で平面状に並設して上記空間の地下に合致させてそれぞれ折曲して、土中に埋設して構成して設けた、大災害における飲料水供給装置。
【請求項２】
水道管５の一部に水道栓８を有する水道管５を起上げ、構成するとともに該水道管５を折曲するごとに少しづつ上位に設けて最後の水道管５の口径部が基部の水道管５の口径部が一段と上位に位置するように設けてなる、大災害における飲料水供給装置の第一項１記載の、大災害における飲料水供給装置。
【発明の詳細な説明】
【技術分野】
【０００１】  本発明は、大災害の発生が予知される地域において該地域における、全家庭に埋設置して、常備しておく飲料水供給装置に関する。【０００２】  従来の家庭用の飲料水の供給装置は一般的に一個の飲料水槽体として家庭の内外部面に設置されてある様に思われる。【０００３】  以下従来の各飲料水の水槽体は一般的に１固体の物体として、家庭の内外部面に設置しておいて、大災害のために備えておいたものである。【０００４】
【先行技術文献】
【非特許文献１】    氏名  小野瀬  一、大集合、大災害における飲料水供給装置体、２０１０、Ｐ
【発明の概要】
【発明が解決しようとする課題】
【０００５】    以上述べたように従来の水槽体は各家庭の一部にそれぞれ設置しておいて、大災害で断水した際に、各それぞれ飲用できる様に設けられたものである。【０００６】    本発明は従来の構成を有してる各問題を容易に解決しようとするものであり、大災害の予告されてある各地域の全家庭に容易に設置出来るように設けた飲料水供給装置を実施することを目的とするものである。【０００７】    更に本発明は、土中に設置するもので、従来の飲料水槽体の如きその設置場所を必要としないものである。
【課題を解決するための手段】
【０００８】  そして本発明は、上記の目的を達成するために、新たな又特別な材料や部分を制作したり、又必要としないもので、水道管を利用して、該水道管のもので構成する飲料水供給装置である。【０００９】  また第２の問題解決手段は、地下を通る公設の水道管に任意口径の水道管で継設して地下に埋設するもので地上の部面の用地を要しないで、この水道管をそのままの状態で設置できるように構成したものである。【００１０】  而して、飲料供給装置の一部材に水道栓を地上に起ち上げて、水道栓を設けて、それを利用出来るものであるので、大いに利便である。【００１１】  上記の第１の課題解決手段による作用は、即ち、新たな部材等を全く必要としないので、安価な容易に全家庭に設置することも可能であるので、大災害に予知されておる各家庭では安心して日々を送ることが出来る。【００１２】  また第２の課題解決手段による作用は、玄関や庭園等において、常時飲用が出来るとともに、その庭園や菜園に気軽に散水できるので、作類の不作などの低下を防止出来る効果を発揮できる。
【発明の効果】
【００１３】  上述の様に本発明の飲料水供給装置は、設置場所等を考慮せず、私設の水道管等に継設して、地下に埋設できて構成されるもので、大災害に会えば家族全員の他外部の人々にも飲用水を提供出来るものである。【００１４】  また、上述の如く、日常的にも各様に使用できる効果を発揮するものである。
【図面の簡単な説明】
【００１５】
【図１】  本発明の実施形態を示す、飲料水供給装置の平面図
【図２】  同飲料水供給装置の断面側面図。
【発明を実施するための形態】
【００１６】  以下、本発明の実施形態を図面に基いて説明する。
【００１７】  図において１は、飲料水供給装置で、公設の水道本管２に継設した敷地内の水道管３の任意個所に、直接又はＬ字状のエルボ４を介して、例えばＬ字状の該エルボ４を用いた場合は該エルボ４の一開口部に水道管３の開口部を嵌合固着するとともに、エルボ４の他開口部に後述する所定の一定数水道管５の一端部を嵌合固定して該水道管５の他端部にＵ字状のエルボ６の一開口部に嵌合固着して、他開口部に上記と同じく一定の水道管５の一端部を嵌合固着してこれをＳ字状に一定一数量をＵ字状のエルボ６を介して形成してその終点に一般用の水道管を敷地に通して飲料水供給装置１を構成する、その終点に一般用の水道管を継設して敷地内にして延長形成する。
【００１８】  而して、上記水道本管５の基部或は一部辺に水槽７を設置するとともに、その上位地上部面に管８を介して蓋９を設けて置く。
【００１９】  この際、各水道管５、水道本管２に継設して土中に埋設される、Ｌ字状のエルボ４を用いない場合も水道管２に直接一定の取水管３を継設するので土中に同じくＳ字状にして平面状に並設して埋設されるものである。
【００２０】  上記の水道管５は、例えば人は平均１日約３０ｌの水を飲用するすれば、それで家族構成や、飲用する日数を勘案して、必要とする所定の水道管５の長さを大体決めて構成する。
【００２１】  本発明は上記の様に構成して大災害が発生すると予告されてある、特に集合する地域の家庭に設置することを目的とするものである。
【００２２】  本発明は、この様に災害予告地の全家庭に設置することを目的としたものであって、設置は特別の機具を要せず容易に設置し得ることが出来るので、全家庭以外に例えば遊園地や公園等の水道栓の各地下に多く一セットととして用意されてある飲料水供給装置１を設置するなどして小範囲のものを多く設置すればその効果を有効に発揮することが出来るものであると考えるものである。
【００２３】  而して、埋設する場所を定めて即ち、巾、長さを合致させて、一定の水道管５の長さ及本数を決めて、水道本管２に直接或はＬ字状のエルボ４を用いるかして、又Ｕ字状のエルボ６を介して、飲料水供給装置１を埋設する。
【００２４】  この際、飲料水供給装置１を敷設する場所下に砂などを用いてしっかりと固めて敷設することが望ましい。
【００２５】  更に上記の水道管５は一般的なものを用いての設管したものであるが、水道管５の大小口径管に合致して用意する。
【００２６】  又、飲料水供給装置１の一部に水道管７を縦設して水道栓８を取付けて、地上で飲用に供するとともに、庭園等に種々と利用できる様に構成する。
【００２７】  更に各水道管５を敷設する様に水平に設置して、２管、３管等と各管を継設する毎に小位ずつ尻上がりに継設して、最後の取水管５の位置点を最初の水道管５の位置点より一段上位に位置する様に構成して、断水の際の流出を防止出来る様に形成する。
【００２８】  而して、大災害にあって断水となった場合、地上位の蓋１０を開けて、飲料水を吸い上げて飲用する。
【００２９】  以下、上記の構成の動作を説明すると、公設の水道本管２より日常使用する取水管３に継設してあるので常に新鮮な飲料水が通水されてるので、一度大災害などで断水すると、飲料水供給装置１に飲料水など貯留するので地上の蓋１０を開口して、充分に飲用することが出来るものである。
【００３０】  又、家庭を離れて外出した際に、大災害にあった際には、各家庭に用意されてある近くの飲料水供給装置１より分けていただくことが出来て、飲用する特徴を有するものである。
【００３１】  上記の様に本発明は、大災害の発生する地域の全家庭に設備することが安価で容易に構成できるものであるので、密接する都会上に於いては上記の如く総ての全家庭に配置しておけば、常に安心して、通常も利用出来て、一度の災害にその効果を充分発揮し得る特徴を有するものである。
【００３２】  また本発明は、土中に埋設構成されてあるので、如何なる地域にも設けることが出来るのでその地上も有効に利用できる効果が得られるものである。
【符号の説明】
【００３３】１・・・・飲料水供給装置
２・・・・水道本管
３・・・・取水管
４・・・・エルボ
５・・・・水道管
６・・・・エルボ
７・・・・水槽管
８・・・・水道栓
９・・・・円筒
１０・・・・蓋
【図１】
2012012110.tif 000003
【図２】
2012012110.tif 000004